(57)【要約】【課題】架線走行区間でのすり板の磨耗を抑制しつつ停車時の急速充電を可能にする。【解決手段】集電装置２の舟体２２,２３の上面にはすり板３２,３３が取り付けられている。すり板３２,３３はそれぞれ鉄道車両の幅方向に並んだ右部材５１、中央部材５２及び左部材５３を有している。中央部材５２の架線に対する耐磨耗性は右部材５１及び左部材５３の架線に対する耐磨耗性より高い。右部材５１及び左部材５３の電気抵抗値は中央部材５２の電気抵抗値より低い。走行時には中央部材５２が架線と摺動接触するが、中央部材５２は耐磨耗性が高いため磨耗しにくい。停車時には電気抵抗値の低い右部材５１及び左部材５３が架線に接触するため、架線に大電流を流しても、右部材５１及び左部材５３と架線との接点温度が上昇しにくい。このため、これらの接点部が溶融や溶着しにくい。【選択図】図２
2015220967.tif 000002
【特許請求の範囲】
【請求項１】
架線に接触するすり板と、
前記すり板を保持する舟体とを備えた鉄道車両用の集電装置であり、
前記すり板は、鉄道車両の幅方向に並んで配置された第１部材及び第２部材を有し、
前記第１部材の架線に対する耐磨耗性が前記第２部材の前記架線に対する耐磨耗性より高く、
前記第２部材の前記架線との電気的接触抵抗値が、前記第１部材の前記架線との電気的接触抵抗値より低いことを特徴とする鉄道車両用の集電装置。
【請求項２】
前記第１部材の主成分がカーボンであり、
前記第２部材の主成分が銅であることを特徴とする請求項１に記載の鉄道車両用の集電装置。
【請求項３】
請求項１又は２に記載の集電装置と、
前記集電装置に接続され且つ交流と直流との間で電力の変換を行う交直変換装置と、
前記交直変換装置に接続された電動機と、
前記集電装置に接続された充放電制御装置と、
前記充放電制御装置に接続された蓄電装置とを備えていることを特徴とする鉄道車両。
【請求項４】
架線に接触するすり板と、前記すり板を保持する舟体とを有する鉄道車両用の集電装置と、鉄道車両が走行する線路の上方に配置される第１架線及び第２架線とを備え、
前記すり板は、鉄道車両の幅方向に並んで配置された第１部材及び第２部材を有し、
前記鉄道車両が走行する走行区間には、前記第１部材と接触する位置に前記第１架線が配置され、
前記鉄道車両が停止する停止区間には、前記第２部材と接触する位置に前記第２架線が配置され、
前記第１部材の前記第１架線に対する耐磨耗性が前記第２部材の前記第２架線に対する耐磨耗性より高く、
前記第２部材の前記第２架線との電気的接触抵抗値が、前記第１部材の前記第１架線との電気的接触抵抗値より低いことを特徴とする鉄道車両用の集電システム。
【請求項５】
前記第２架線の剛性が前記第１架線の剛性より高いことを特徴とする請求項４に記載の鉄道車両用の集電システム。
【請求項６】
前記第２架線の電気抵抗値が前記第１架線の電気抵抗値より低いことを特徴とする請求項４又は５に記載の鉄道車両用の集電システム。
【請求項７】
前記第１部材の主成分がカーボンであり、
前記第２部材の主成分が銅であることを特徴とする請求項４〜６のいずれか１項に記載の鉄道車両用の集電システム。
【請求項８】
前記集電装置に接続され且つ交流と直流との間で電力の変換を行う交直変換装置と、
前記交直変換装置に接続された電動機と、
前記集電装置に接続された充放電制御装置と、
前記充放電制御装置に接続された蓄電装置とを有する鉄道車両をさらに備えていることを特徴とする請求項４〜７のいずれか１項に記載の鉄道車両用の集電システム。
【発明の詳細な説明】
【技術分野】
【０００１】
本発明は、架線に接触するすり板を有する集電装置、鉄道車両及び集電システムに関する。
【背景技術】
【０００２】
鉄道車両の集電装置には、架線に直接接触するすり板が設けられている。すり板は、通常、カーボン系材料、銅系焼結合金、又は鉄系焼結合金の単一材料によって作製されている（特許文献１参照）。
【先行技術文献】
【特許文献】
【０００３】
【特許文献１】特開２０１２−１６５５２８号公報
【発明の概要】
【発明が解決しようとする課題】
【０００４】
近年、架線が設けられていない架線レス区間で走行可能な鉄道車両が開発されている。このような車両には蓄電装置が搭載され、蓄電装置に充電した電力により車両を走行させている。
【０００５】
例えば、架線が設けられた走行区間（架線走行区間）において架線から供給された電力の一部を車両の走行に用い、残りで蓄電装置を充電すると、架線レス区間では蓄電装置に充電された電力により車両を走行させることができる。また、駅等の停車区間（充電区間）において架線から供給された電力で蓄電装置を充電すれば、架線レス区間で蓄電装置に充電した電力により車両を走行させることができる。駅等の停車区間では停車時間が短いため、短時間に急速充電できることが好ましい。
【０００６】
ところで、架線に接触するすり板は上述した３種類の材料（カーボン系材料、鉄系焼結合金、及び銅系焼結合金）のうちいずれかの単一材料で作製されているが、それぞれが特長としてもつ機械的耐磨耗性、電気的通電性に違いがあるために、架線走行区間及び停車充電区間のうち、一方の区間には適しているが他方の区間には適していないといえる。
【０００７】
例えば、カーボン系材料は耐磨耗性が優れているため、走行中に架線に摺動しても磨耗しにくい。このため架線走行区間に適している。しかしカーボン系材料は、架線との接触では電気的接触抵抗が大きいために大電流が流れると架線との接点温度が上昇しやすい。特に、停車中に大電流を流すと、走行時よりも放熱状態が悪いため、すり板や架線が接触部で溶解するおそれがある。このためカーボン系材料は充電区間における停車状態での急速充電に適していない。
【０００８】
一方、銅系焼結合金は電気抵抗値が比較的低いため、架線との電気的接触抵抗値も小さい。したがって架線との接点に短時間に大電流が流れても温度が急上昇しにくいため、充電区間における停車状態での急速充電に適している。しかし、銅系焼結合金は耐磨耗性が低いため、走行中に架線に摺動すると磨耗しやすい。このため架線走行区間には適していない。
【０００９】
このように、従来の単一材料を用いたすり板を装備する鉄道車両では架線走行区間及び停車時の充電区間の両区間で最適であるといえない。
【００１０】
そこで、本発明の目的は、架線走行区間及び停車時の充電区間の両区間で最適な集電装置、鉄道車両及び集電システムを提供することである。
【課題を解決するための手段】
【００１１】
本発明の鉄道車両用の集電装置は、架線に接触するすり板と、前記すり板を保持する舟体とを備えた鉄道車両用の集電装置であり、
前記すり板は、鉄道車両の幅方向に並んで配置された第１部材及び第２部材を有し、
前記第１部材の架線に対する耐磨耗性が前記第２部材の前記架線に対する耐磨耗性より高く、
前記第２部材の前記架線との電気的接触抵抗値が、前記第１部材の前記架線との電気的接触抵抗値より低い。
【００１２】
上記装置では、すり板に異なる２つの部材を用い、i)架線走行区間（車両走行中）では耐磨耗性が高い第１部材を架線に接触、摺動させて集電し、ii)停車時の充電区間では電気的接触抵抗値が低い第２部材を架線に接触させ、空調機などの補助機器の駆動や蓄電池の充電のために集電する。これにより、架線走行区間では第１部材が磨耗しにくい一方で、停車時の充電区間では急速充電用などの大電流を流しても第２部材と架線との接点温度が上昇しにくいため、これらの接点部の溶解や溶着が起こりにくい。したがって、架線走行区間ではすり板の磨耗を抑制でき、充電区間では急速充電等が可能であるため、架線走行区間及び停車時の充電区間の両区間で最適である。
【００１３】
また、上記装置において、前記第１部材の主成分がカーボンであり、前記第２部材の主成分が銅であることが好ましい。第１部材に耐磨耗性の優れたカーボン系材料を用い、第２部材に架線との電気的接触抵抗値の低い銅系材料を用いることにより、架線走行区間及び停車時の充電区間の両区間に最適な構成にすることができる。
【００１４】
本発明による鉄道車両の構成の一例を挙げると、架線に直流電流が流れている場合、上述した集電装置と、前記集電装置に接続され且つ交流と直流との間で電力の変換を行うインバータ（交直変換装置）と、前記インバータに接続された電動機と、前記集電装置に接続された充放電制御装置と、前記充放電制御装置に接続された蓄電装置とを備えている車両である。
【００１５】
上記鉄道車両では、i)架線走行区間に耐磨耗性の優れた第１部材を架線に接触させることにより、走行時のすり板の磨耗を抑制しつつ蓄電装置に充電できる。また、ii)停車時の充電区間では電気抵抗値の低い第２部材を架線に接触させることにより、蓄電装置に短時間で急速充電できる。
【００１６】
本発明の集電システムは、架線に接触するすり板と、前記すり板を保持する舟体とを有する鉄道車両用の集電装置と、鉄道車両が走行する線路の上方に配置される第１架線及び第２架線とを備え、
前記すり板は、鉄道車両の幅方向に並んで配置された第１部材及び第２部材を有し、
前記鉄道車両が走行する走行区間には、前記第１部材と接触する位置に前記第１架線が配置され、
前記鉄道車両が停止する停止区間には、前記第２部材と接触する位置に前記第２架線が配置され、
前記第１部材の前記第１架線に対する耐磨耗性が前記第２部材の前記第２架線に対する耐磨耗性より高く、
前記第２部材の前記第２架線との電気的接触抵抗値が、前記第１部材の前記第１架線との電気的接触抵抗値より低い。
【００１７】
上記システムでは、すり板に異なる２つの部材を用い、
i)架線走行区間（車両走行中）では、耐磨耗性が優れた第１部材を第１架線に接触、摺動させて集電し、ii)停車時の充電区間では、電気的接触抵抗値が低い第２部材を第２架線に接触させ、空調機などの補助機器の駆動や蓄電池の充電のために集電する。これにより、架線走行区間ではすり板の磨耗を抑制でき、停車時の充電区間では急速充電等が可能であるため、架線走行区間及び停車時の充電区間の両区間で最適である。
【００１８】
また、上記システムにおいて、前記第２架線は、すり板との電気的接触抵抗値が小さい材質であることが好ましい。さらに、前記第２架線の前記第２部材との電気的接触抵抗値が前記第１架線の前記第１部材との電気抵抗値より低いことが好ましい。停車時の充電区間において、第２架線とすり板の第２部材との接触部の電気抵抗値を小さくすることにより、急速充電時等の際、接触部の温度上昇を抑制できる。
【００１９】
また、更に上記システムにおいて、前記第２架線の剛性が前記第１架線の剛性より高いことが好ましい。剛性が高ければ、すり板をより大きな力で架線に押し付けることが可能であるため、停車時の充電区間において、第２架線とすり板の第２部材との接触部の電気抵抗値を一層小さくすることが可能となり、接触部の温度上昇を抑制できる。
【００２０】
また、上記システムにおいて、前記第１部材の主成分がカーボンであり、前記第２部材の主成分が銅であることが好ましい。第１部材に耐磨耗性の優れたカーボン系材料を用い、第２部材に電気抵抗値の低い銅系材料を用いることにより、架線走行区間でのすり板の磨耗を抑制しつつ停車時の急速充電を行える。
【００２１】
さらに上記システムにおける、鉄道車両の構成の一例を挙げると、架線に直流電流が流れている場合、上述した集電装置と、前記集電装置に接続され且つ交流と直流との間で電力の変換を行うインバータ（交直変換装置）と、前記インバータに接続された電動機と、前記集電装置に接続された充放電制御装置と、前記充放電制御装置に接続された蓄電装置とを備えている車両である。
【００２２】
上記システムでは、i)架線走行区間で耐磨耗性が優れた第１部材を第１架線に接触させることにより、走行時のすり板の磨耗を抑制しつつ蓄電装置に充電できる。また、ii)停車時の充電区間では、電気抵抗値の低い第２部材を第２架線に接触させることにより、蓄電装置に短時間で急速充電できる。
【発明の効果】
【００２３】
本発明によると、架線走行区間では耐磨耗性に優れた第１部材を架線に接触、摺動させ、停車時の充電区間では電気抵抗値の低い第２部材を架線に接触させることにより、架線走行区間でのすり板の磨耗を抑制できるとともに充電区間での急速充電が可能である。このため、本発明は架線走行区間及び停車時の充電区間の両区間で最適である。
【図面の簡単な説明】
【００２４】
【図１】本発明に係る鉄道車両の構成を示す模式図である。
【図２】（ａ）はすり板及び舟体の側面図(図１のIIA-IIA線に沿った図)であり、（ｂ）はすり板及び舟体の平面図である。
【図３】架線及び路線の一部を示す模式図である。
【図４】（ａ）は架線走行区間Ａでの吊架線とすり板との接触位置を示す平面図であり、（ｂ）は架線走行区間Ａでの電気の流れを説明する模式図である。
【図５】（ａ）は架線レス走行区間Ｂでのすり板の平面図であり、（ｂ）は架線レス走行区間Ｂでの電気の流れを説明する模式図である。
【図６】（ａ）は停止区間Ｃでの剛体架線とすり板の平面図であり、（ｂ）は停止区間Ｃでの電気の流れを説明する模式図である。
【図７】変形例に係る鉄道車両の構成を示す模式図である。
【発明を実施するための形態】
【００２５】
以下、本発明の１実施形態である鉄道車両について、図１〜図６を参照しつつ以下に説明する。
【００２６】
鉄道車両１００は、図１に示すように、車体１と、車体１の屋根上に設置された集電装置２とを有している。集電装置２は架線２００に接触する。
【００２７】
車体１には、集電装置２に接続されたインバータ（交直変換装置）１０、充放電制御装置１１及び補助電源装置１２と、インバータ１０に接続された駆動モータ（電動機）１３と、充放電制御装置１１に接続された蓄電池（蓄電装置）１４とが搭載されている。インバータ１０と充放電制御装置１１は２本の電線１５ａ,１５ｂによって接続されている。電線１５ｂから分岐した電線１６は２本の電線１７ａ,１７ｂに分岐して接地装置１８,１９に接続され、さらにレールに接地されている。
【００２８】
集電装置２は、車体１の屋根に碍子を介して設置された台枠２１と、架線２００に押し付けられる２つの舟体２２,２３と、舟体２２,２３を台枠２１に対して昇降させる枠体２４とを有している。
【００２９】
舟体２２,２３の上面には、すり板３２,３３がボルト４１,４２,４３,４４,４５,４６で固定されている（図２(ａ)参照）。また、図２（ｂ）に示すように、２つの舟体２２,２３は支持棒４７,４８,４９,５０によって平行に保持されている。すり板３２,３３は架線２００に直接接触する（図１参照）。
【００３０】
本実施形態のすり板３２とすり板３３とは同様な構成である。図２（ｂ）に示すように、すり板３２,３３は舟体２２の長手方向に並んだ３つの部材５１,５２,５３から構成されている。ここで、舟体２２の長手方向とは鉄道車両１００の幅方向である。
【００３１】
３つの部材５１,５２,５３の中央にある中央部材（第１部材）５２は、その両側の右部材（第２部材）５１及び左部材（第２部材）５３よりも架線２００に対する耐磨耗性が高く、また架線２００との電気的接触抵抗値が高い。ここで「電気的接触抵抗値」とは互いに接触する２つの部材の接触部分の電気抵抗値である。例えば「中央部材５２の架線２００との電気的接触抵抗値」及び「中央部材５２における架線２００との電気的接触抵抗値」は、中央部材５２において架線２００と接触した部分の電気抵抗値を意味する。
耐磨耗性は、例えば下記式から算出される磨耗量によって評価できる。
Ｗ＝ｋ・Ｐ・Ｖ・Ｔ
Ｗ：磨耗量 (μｍ) 
ｋ：磨耗係数(μｍ・ｍｍ2・ｍｉｎ／Ｎ・ｍ・ｈｒ)
Ｐ：面圧(ＭＰａ) 
Ｖ：摺動速度（すべり速度） (ｍ／ｍｉｎ)
Ｔ：摺動時間 [ｈｒ]
一般的な鉄道車両用架線（Ｃｕ,Ｃｕ合金）とパンタグラフとに装備されるすり板の接触、摺動によってすり板が磨耗する現象において、一定走行距離における磨耗量を比較したとき、中央部材５２の架線２００に対する磨耗量は右部材５１及び左部材５３の架線２００に対する磨耗量よりも小さい。
【００３２】
すり板３２,３３の中央部材５２には例えばカーボン系材料又は鉄系材料を用いることができる。そのなかでも中央部材５２の主成分がカーボンとなるように、カーボン系材料を用いることが好ましい。カーボン系材料としてi)金属粉を混合し焼結したもの、ii)多孔質カーボン材料に金属を含浸させたもの、iii)カーボン繊維強化カーボン複合材（Ｃ／Ｃ複合材）に金属を含浸させたもの等を用いることができる。
【００３３】
すり板３２,３３の右部材５１及び左部材５３には、主成分が銅となるように銅系材料を用いることが好ましい。銅系材料として例えば銅系焼結合金、純銅が挙げられる。
【００３４】
次に、鉄道車両１００の運行の一例を図３〜６を参照しつつ説明する。
【００３５】
図３に示すように、鉄道車両１００が通る路線には、吊架線２１０が設けられた架線走行区間Ａと、架線が設けられていない架線レス走行区間Ｂと、一時的に停車する停止区間Ｃ（駅等）とがある。停止区間Ｃには２本の剛体架線（第２架線）２２０,２３０が設けられている。吊架線２１０のトロリ線２１３及び剛体架線２２０,２３０には直流または交流電圧が加圧されている。
【００３６】
吊架線２１０では、複数の支持点から吊り下げられたちょう架線２１１にハンガ２１２でトロリ線（第１架線）２１３が吊り下げられている。トロリ線２１３は線路の幅中央付近に配置されている。
【００３７】
剛体架線２２０,２３０は線路の幅中央を挟んで両側に配置されている。剛体架線２２０,２３０のすり板３２,３３との電気的接触抵抗値はトロリ線２１３のすり板３２,３３との電気的接触抵抗値より低い。また、剛体架線２２０,２３０におけるすり板３２,３３の右部材５１及び左部材５３との電気的接触抵抗値はトロリ線２１３におけるすり板３２,３３の中央部材５２との電気的接触抵抗値より低い。剛体架線２２０,２３０には例えば銅系材料が用いられる。また、剛体架線２２０,２３０はトロリ線２１３より剛性が高い。
【００３８】
（架線走行区間Ａ）
トロリ線２１３は、図４（ａ）に示すように、舟体２２,２３の長手方向（車両の幅方向）の中央付近に配置されているため、すり板３２,３３の中央部材５２と接触する。これにより、トロリ線２１３を流れる電気は２つの中央部材５２を介して集電装置２に流れ、車体１に供給される（図４(ｂ)参照）。電気はインバータ１０と充放電制御装置１１と補助電源装置１２に流れる。インバータ１０に流れた電気は直流から交流に変換されて駆動モータ１３に供給される。これにより鉄道車両１００が走行する。また補助電源装置１２に電気が流れることで車内の照明や空調機器等の補助機器が作動する。さらに、充放電制御装置１１に流れた電気により、蓄電池１４が充電される。
【００３９】
すり板３２,３３は架線に押し付けられるが、架線走行区間Ａ（走行中）においてすり板３２,３３の２つの中央部材５２をトロリ線２１３に押し付けたときのトロリ線２１３に対する接触圧は、停止区間Ｃ（停車時）においてすり板３２,３３の右部材５１及び左部材５３を剛体架線に押し付けたときの接触圧より小さく設定されている。また、中央部材５２の耐磨耗性はその両側の右部材５１及び左部材５３の耐磨耗性より高く、架線走行区間Ａにおける中央部材５２のトロリ線２１３に対する耐磨耗性は停止区間Ｃにおける右部材５１及び左部材５３の剛体架線２２０,２３０に対する耐磨耗性より高い。
したがって、架線走行区間Ａでは、車両走行中にすり板３２,３３の中央部材５２がトロリ線２１３に摺動接触しても中央部材５２が磨耗しにくい。
【００４０】
また、インバータ１０及び充放電制御装置１１に流れた電気の一部は電線１５ｂ,１６,１７ａ,１７ｂを通過して接地装置１８,１９に流れる。接地装置１８,１９から車輪を通じて帰線電流がレール３００に流れる。
【００４１】
なお、鉄道車両１００の減速時等に駆動モータ１３で生じた回生電力は、インバータ１０に流れ、交流から直流に変換された後、充放電制御装置１１に流れる。これにより蓄電池１４が充電される。また、回生電力はトロリ線２１３にも戻される。
【００４２】
（架線レス走行区間Ｂ）
区間Ｂでは、架線が設置されていないため、すり板３２,３３に架線が接触しない（図５(ａ)参照）。そのため、図５（ｂ）に示すように、蓄電池１４に充電した電気を放電する。電気はインバータ１０と補助電源装置１２に流れ、インバータ１０に流れた電気は直流から交流に変化されて駆動モータ１３に供給される。これにより鉄道車両１００が走行するとともに車内の照明や空調機器が作動する。
【００４３】
また、鉄道車両１００の減速時等に駆動モータ１３で生じた回生電力がインバータ１０及び充放電制御装置１１に流れることで、蓄電池１４が充電される（黒矢印参照）。
【００４４】
（停止区間Ｃ）
図６（ａ）に示すように、剛体架線２２０,２３０は舟体２２,２３の長手方向（車両の幅方向）の両端側に配置されているため、剛体架線２２０とすり板３２の右部材５１及びすり板３３の右部材５１とが接触し、剛体架線２３０とすり板３２の左部材５３及びすり板３３の左部材５３とが接触する。これにより、剛体架線２２０,２３０を流れる電気は、すり板３２の右部材５１及び左部材５３並びにすり板３３の右部材５１及び左部材５３を介して集電装置２に流れ、車体１に供給される（図６(ｂ)参照）。なお、図６（ｂ）では、剛体架線２２０,２３０と、すり板３２の右部材５１と、すり板３３の右部材５１とを図示している。
【００４５】
電気の一部は充放電制御装置１１に供給され、蓄電池１４が充電される。残りは補助電源装置１２に供給されることで、車内の照明や空調機が作動する。
【００４６】
ここで、停止区間Ｃでは停車時間が短いため、短時間で蓄電池１４に急速充電できるように剛体架線２２０,２３０に大電流を流すことがある。しかし、これが原因で剛体架線２２０,２３０とすり板３２,３３との接点温度が上昇しやすい。
【００４７】
ところが、本実施形態では、剛体架線２２０,２３０が高剛性であるため、剛体架線２２０,２３０に通常架線に対するよりも強い圧力ですり板３２の右部材５１及び左部材５３並びにすり板３３の右部材５１及び左部材５３を押し付けることができる。これにより、剛体架線２２０,２３０とすり板３２,３３の右部材５１及び左部材５３との接触部の電気抵抗値を小さくすることできる。
また、停止区間Ｃ（停車時）での右部材５１及び左部材５３における剛体架線２２０,２３０との電気的接触抵抗値は、架線走行区間Ａでの中央部材５２におけるトロリ線２１３との電気的接触抵抗値より低い。
さらに、停止区間Ｃでの剛体架線２２０,２３０における右部材５１及び左部材５３との電気的接触抵抗値は、架線走行区間Ａでのトロリ線２１３における中央部材５２との電気的接触抵抗値より低い。
また、剛体架線２２０,２３０の表面積はトロリ線２１３の表面積より大きいため、剛体架線２２０,２３０は放熱しやすい。
これらにより、停止区間Ｃでは、剛体架線２２０,２３０と右部材５１及び左部材５３との接点温度が上昇しにくい。したがって、剛体架線２２０,２３０と右部材５１及び左部材５３との接触部の溶解や溶着が起こりにくい。
【００４８】
以上に述べたように、本実施形態の鉄道車両及び架線配置構造によると以下の効果を奏する。
すり板３２,３３に耐磨耗性の高い中央部材５２と、架線２００及び剛体架線２２０,２３０との電気的接触抵抗値の低い右部材５１及び左部材５３を用い、車両の幅方向に右部材５１、中央部材５２及び左部材５３を並べて配置している。そして、i)架線走行区間Ａでは耐磨耗性が高い中央部材５２をトロリ線２１３に接触、摺動させて集電し、ii)停止区間Ｃでは電気的接触抵抗値が低い右部材５１及び左部材５３を剛体架線２２０,２３０に接触させ、空調機などの補助機器の駆動や蓄電池の充電のために集電する。これにより、架線走行区間Ａでは中央部材５２が磨耗しにくい一方で、停車時の停止区間Ｃでは剛体架線２２０,２３０に大電流を流しても剛体架線２２０,２３０と右部材５１及び左部材５３との接点温度が上昇しにくいため接点部の溶解や溶着が起こりにくい。したがって、架線走行区間Ａではすり板３２,３３の磨耗を抑制でき、停止区間Ｃでは急速充電等が可能であるため、架線走行区間Ａ及び停車時の停止区間Ｃの両区間で最適である。
【００４９】
特にすり板３２,３３の中央部材５２に耐磨耗性の優れたカーボン系材料を用い、すり板３２,３３の右部材５１及び左部材５３を、電気的接触抵抗値の低い銅系の剛体架線２２０,２３０に対して、通常架線（吊架線２１０等）よりも強い圧力で接触させることにより、上記効果を向上させることができる。
【００５０】
また、架線走行区間Ａでは、吊架線２１０を車両幅方向中央付近に配置し、トロリ線２１３とすり板３２,３３の中央部材５２とが摺動接触するようにしている。また、停止区間Ｃでは、剛体架線２２０,２３０を車両幅方向両端部に配置し、剛体架線２２０,２３０とすり板３２,３３の右部材５１及び左部材５３とが接触するようにしている。架線走行区間Ａでの中央部材５２におけるトロリ線２１３に対する耐磨耗性は、停止区間Ｃでの右部材５１及び左部材５３における剛体架線２２０,２３０に対する耐磨耗性より高い。したがって走行時の中央部材５２の磨耗をより抑制できる。
【００５１】
また、停止区間Ｃに設けられた剛体架線２２０,２３０は銅系材料等からなるため、電気抵抗値が比較的低い。停止区間Ｃでは電気抵抗値が低い部材同士（剛体架線２２０,２３０とすり板３２,３３の右部材５１及び左部材５３）が接触するため、剛体架線２２０,２３０に急速充電用の大電流を流しても、剛体架線２２０,２３０と右部材５１及び左部材５３との接点温度の上昇をより抑制できる。
【００５２】
以上、本発明の実施形態について図面に基づいて説明したが、具体的な構成は、これらの実施形態に限定されるものでないと考えられるべきである。本発明の範囲は上記した説明ではなく特許請求の範囲によって示され、特許請求の範囲と均等の意味及び範囲内でのすべての変更が含まれる。
【００５３】
例えば、上述の実施形態では、すり板３２,３３の中央部材５２と右部材５１及び左部材５３とで耐磨耗性を比較したとき、I)中央部材５２の架線２００に対する耐磨耗性が右部材５１及び左部材５３の架線２００に対する耐磨耗性より高く、且つ、II)   中央部材５２のトロリ線２１３に対する耐磨耗性が右部材５１及び左部材５３の剛体架線２２０,２３０に対する耐磨耗性より高いが、I)及びII)の一方だけを満たす構成でもよい。また、I)だけを満たす場合、架線走行区間Ａに設ける架線と停止区間Ｃに設ける架線とを同じ架線にしてもよい。この構成によっても架線走行区間Ａでのすり板の磨耗を抑制できる。
【００５４】
また、上述の実施形態では吊架線２１０及び剛体架線２２０,２３０を流れる電流が直流である場合の車両を図示しているが（図１,４〜６）、交流用の車両でもよい（図７参照）。図７では、集電装置２とインバータ１０との間にコンバータ５１０を配置している。コンバータ５１０は集電装置２と充放電制御装置１１との間にも位置している。また、コンバータ５１０は接地装置１８,１９に接続されている。
【００５５】
さらに、上述の実施形態ではすり板３２の中央部材５２にカーボン系材料用い、すり板３２の右部材５１及び左部材５３に銅系材料を用いることを例示したが、すり板の材料は変更可能である。例えば、すり板３２の中央部材５２に鉄系材料を用い、すり板３２の右部材５１及び左部材５３に銅系材料を用いてもよい。また、すり板３３についても同様に材料を変更してもよい。
【００５６】
さらに、上述の実施形態ではすり板３２の中央に高耐磨耗性の中央部材５２を配置し、その両側に中央部材５２より電気抵抗値が低い右部材５１及び左部材５３を配置したが、右部材５１及び左部材５３のいずれか一方だけを配置してもよい。また、すり板３３についても同様に右部材５１及び左部材５３のいずれか一方だけを配置してもよい。この場合、停止区間Ｃにおいて２つの剛体架線２２０,２３０のうち一方だけを配置するとよい。
【００５７】
さらに、上述の実施形態では集電装置２を車両の運行及び蓄電池の充電に用いたが、他の用途に利用してもよい。
【００５８】
また、上述の実施形態では集電装置２に２本の舟体２２,２３を用いたが、舟体の本数は変更可能である。例えば１本又は４本としてもよい。
【符号の説明】
【００５９】
１                 車体
２                 集電装置
１０               インバータ（交直変換装置）
１１               充放電制御装置
１２               補助電源装置
１３               駆動モータ（電動機）
１４               蓄電池（蓄電装置）
２２,２３          舟体
３２,３３          すり板
５１               右部材（第２部材）
５２               中央部材（第１部材）
５３               左部材（第２部材）
１００             鉄道車両
２００             架線
２１０             吊架線
２１３             トロリ線（第１架線）
２２０,２３０      剛体架線（第２架線）
５１０             コンバータ（交直変換装置）
Ａ                 架線走行区間（走行区間）
Ｂ                 架線レス走行区間
Ｃ                 停止区間
【図１】
2015220967.tif 000003
【図２】
2015220967.tif 000004
【図３】
2015220967.tif 000005
【図４】
2015220967.tif 000006
【図５】
2015220967.tif 000007
【図６】
2015220967.tif 000008
【図７】
2015220967.tif 000009